(57)【要約】【課題】商品を収納するバッグで、特に収納した商品が見得るように透明な材料よりなり、透明な袋状部分を覆うことなしに商品に関する情報を表示し得るようにする。【解決手段】合成樹脂製シートよりなり、商品を収納する袋状部分と、この袋状部分の口の部分に取り付けられ手提げ用の穴を有する手提げ部分とよりなり、この手提げ部分が透明な合成樹脂シート２枚よりなり両シートの間にカードを挟んだ構成であって、このカードに商品に関する情報等を記載することにより袋状部分にラベルを貼ることなしに商品に関する情報の表示等を可能にした。【選択図】　　　　　　図１
0003098085.tif 000002
【実用新案登録請求の範囲】
【請求項１】
合成樹脂製シートよりなり、商品を収納する袋状部分と、前記袋状部分の口の部分に取り付けられ手提げ用の穴を有する手提げ部分とよりなり、前記手提げ部分が透明な合成樹脂シート２枚よりなり、両シートの間に同一形状のカードを挟んで保持した商品収納用バッグ。
【考案の詳細な説明】
【０００１】
【考案の属する技術分野】
本考案は、商品を収納するバッグで、特に商品販売時に使用するバッグに関するものである。
【０００２】
【従来の技術】
従来の商品販売時に使用するバッグは、例えば洗剤等の商品を収納し、そのまま販売し、購入者が持ち帰るのに便利な構成にしたものである。そのために、販売時に収納した商品が見得るように、透明な合成樹脂製シートにて袋状にしたものである。また、購入者が持ち帰るのを容易にするために、袋状部分の上側部分に紐状の手提げ部分を取り付けた構成である。即ち、図５に示すように、例えば透明な合成樹脂シートを縫い合わせて形成した袋状部分１１とその上端部（口の部分）に手提げ用の紐状部分１２を取り付けた構成である。
【０００３】
このような、従来の商品収納用バッグは、商品の内容が購入者に正確に伝わるように、商品に関する情報等を表示する必要がある。
【０００４】
そのため、従来のこの種のバッグは、商品に関する情報を表示したタグを手提げ用の紐の部分に糸にて取り付けるか、バッグの袋状部分１１に商品に関する情報を表示したラベルを貼りつける等していた。
【０００５】
【考案が解決しようとする課題】
前者の手段では、手提げ部分にタグを取り付けるため、購入者が持ち帰る際に手提げを利用する時にこのタグが邪魔になる等の欠点がある。また、後者の手段は、ラベルを貼った箇所が不透明となり、商品の一部が見えなくなる等の欠点を有する。
【０００６】
また、従来の商品収納用バッグは、商品に関する情報の表示手段として、前述のいずれの表示手段を用いても、表示部分のよごれや破損が生ずる欠点もある。
【０００７】
本考案は、タグを取り付けたり、ラベルを袋状部分に貼ったりすることなしに商品に関する情報の表示が可能である商品収納用のバッグを提供するものである。
【０００８】
【課題を解決するための手段】
本考案のバッグは、商品を収納する透明な袋状部分と、透明な材料よりなり一部に手掛け用の穴を設けた手提げ部とよりなり、袋状部分の前面と背面との上側端部（口の部分）に夫々手提げ部を一体に固定した構成にした。そして、各手提げ部分は、夫々２重形状として、その間に前述の商品に関する情報を表示したラベル（カード）等を挟み込むことを可能にした。
【０００９】
これにより、収納した商品が見えなくなることなく、表示部分の汚れや破損のない構成にした。更に商品に関する表示のみでなく、挟み込む用紙の色、デザインの選択によって、バッグ全体を好ましいデザインにし得る。
【００１０】
【考案の実施の形態】
次に、本考案のバッグの実施の形態について図面をもとに説明する。
【００１１】
図１は本考案の商品収納用バッグの斜視図である。この図において、符号１の部分が袋状部分であって、ポリプロピレン、ポリエチレンのような透明な合成樹脂シートを用いて図示するような形状に、その周辺１ａを縫製することにより接合して袋状としたものである。又、符号２にて示す部分は、袋状部分１の上側端部（袋の口の部分）に取り付けた手提げ部分であり、手提げ用の穴３が形状されている。これら手提げ部分２は、袋状部分２と同様に透明な合成樹脂シートにて形成され、袋状部分１の前側の面１ｂと後ろ側の面１ｃの夫々に縫製することにより結合させてある。尚、図において４は袋の口を閉じるための止め具である。
【００１２】
この本考案のバッグは、その縫製の際に透明な合成樹脂製のシートを図２に示す形状にしたものを２枚用いて例えば、図１に示す袋状部分１の前面部１ｂの上側端部（袋の口の部分）に縫製あるいは熱溶着にて取り付ける。その際、図２に示すと同じ形状の商品の情報等を印刷等にて表示した紙片（カード）を図２の形状の２枚の透明な合成樹脂製シート間に挟んで周辺を縫いつけたものを取り付ける。同様の方法にて袋状部分１の後ろ側面１ｃの上側端部にも図２に示す形状の手提げ部分２を縫いつけるか熱溶着することにより取り付ける。その際に、同様図２に示す形状の商品に関する情報を表示したカードを両合成樹脂製シートにて挟んだ上で周辺を縫い付け保持する。
【００１３】
尚、図１に示す本考案のバッグは、周辺を縫製により結合してあるが、縫製部分を熱溶着することにより結合してもよい。
【００１４】
この本考案のバッグは、手提げ部分に表示用カードを取り付け、しかも図２に示す形状の２枚の透明な合成樹脂製シートの間に挟んで固定するために、持ち帰る際等に不都合が生ずることなく、また表示部（カード）自体が汚れたり破損するおそれはほとんどない。また従来のバッグのように袋にラベルを貼ったものではないため、袋状部分に収納した商品が見えなくなることもない。
【００１５】
更に、カードにおける表示内容は、単に文字の印刷のみでなく、また適宜な着色等も可能である。その場合、袋状部分１と手提げ部分２とは一体になっているため、袋状部分と手提げ部分との配色や、カードの図柄を工夫することにより、袋状部分１と手提げ部分２との全体のデザイン、つまりバッグ全体の配色をより好ましいものにすることが可能である。
【００１６】
そのため手提げ部分の形状も、図２に示す形状に限らず、例えば、図３や図４に示すような形状にしてもよい。更に手提げ用の穴３を有するものであれば、どのような形状でもよい。
【００１７】
このように、手提げ部分の形状や、手提げ部分に挟むカードの色彩や図柄の選択によって、バッグ全体に変化を与えることが可能になる。
【００１８】
本考案のバッグにて用いるカードは、手提げ部分と同一形状あるいは類似の形状であればよい。透明なシートよりなる手提げ部分と同一形状であって、ほぼ同じ大きさのカードを使用する場合、前述のように２枚のシートの間にカードを挟んだ上でそれらの周辺部分を一体に縫い合わせることにより手提げ部分を作成すればよい。また、カードが透明シートよりも小さい場合は、２枚のシートの間にカードを挿入した上で、２枚のシートのみの周辺部分を縫い合わせるか熱溶着にて接合すればよい。
【００１９】
【考案の効果】
本考案は、袋状部分と手提げ部分を別々に形成して接合すると共に手提げ部分を透明な２枚の合成樹脂シート間に表示カードを挟む構成にすることにより、カードの破損のおそれがなく、また袋状部分に入れた商品全体または一部が見えなくなるおそれがない。
【図面の簡単な説明】
【図１】本考案の実施の形態のバッグを示す図
【図２】図１のバッグの手提げ部分の形状を示す図
【図３】本考案のバッグの手提げ部分の他の例を示す図
【図４】本考案のバッグの手提げ部分の更に他の例を示す図
【図５】従来のバッグの構成を示す図
【符号の説明】
１　　　袋状部分
２　　　手提げ部分
３　　　手提げ用の穴
【図１】
0003098085.tif 000003
【図２】
0003098085.tif 000004
【図３】
0003098085.tif 000005
【図４】
0003098085.tif 000006
【図５】
0003098085.tif 000007